(57)【要約】【課題】  冠婚葬祭の場で容易に縁戚関係を確認可能なほど小さな紙面で作成可能であり、且つより多くの縁戚関係者を記録することが可能な家系録及び家系録システムの提供。【解決手段】  複数の行と列に分割された表からなる縁戚一覧名簿を有する家系録であって、縁戚一覧名簿は、氏名を記載する氏名記載欄と、氏名記載欄に記載される人物に対してそれぞれ異なる記号で割り当てられる識別記号を記載する識別記号記載欄と、氏名記載欄に記載された一の人物と他の人物との縁戚関係を記載する縁戚関係記載欄とが、行方向又は列方向に任意の順序で並んで形成されてなり、縁戚関係記載欄の行又は列は、父、母、配偶者等の縁戚関係の種類ごとに分類され、縁戚関係記載欄の分類にしたがって、分類の縁戚関係に該当する人物に割り当てられた識別記号がそれぞれ記載されることを特徴とする家系録である。【選択図】  図２
2005262800.tif 000002
【特許請求の範囲】
【請求項１】
複数の行と列に分割された表からなる縁戚一覧名簿を有する家系録であって、
前記縁戚一覧名簿は、
氏名を記載する氏名記載欄と、
該氏名記載欄に記載される人物に対してそれぞれ異なる記号で割り当てられる識別記号を記載する識別記号記載欄と、
前記氏名記載欄に記載された一の人物と他の人物との縁戚関係を記載する縁戚関係記載欄とが、行方向又は列方向に任意の順序で並んで形成されてなり、
前記縁戚関係記載欄は複数の行又は列から構成され、各行又は列は、父、母、配偶者等の縁戚関係の種類ごとに分類され、
一の氏名記載欄と同じ行又は列にある一の縁戚関係記載欄には、縁戚関係記載欄の分類にしたがって、該一の氏名記載欄に記載された人物の該分類の縁戚関係に該当する人物に割り当てられた識別記号がそれぞれ記載されることを特徴とする家系録。
【請求項２】
前記縁戚関係記載欄が、父、母、兄弟姉妹、配偶者及び子に分類されていることを特徴とする請求項１記載の家系録。
【請求項３】
前記氏名記載欄が更に、旧姓を記載する欄を備えることを特徴とする請求項１又は２記載の家系録。
【請求項４】
前記縁戚一覧名簿が姓ごとに作成され、
前記識別記号が姓を識別するための文字を包含していることを特徴とする請求項１乃至３いずれかに記載の家系録。
【請求項５】
前記縁戚一覧名簿に記載された前記識別記号を記載する識別記号記載欄と、
前記識別記号に対応する人物の氏名を記載する氏名記載欄と、
前記氏名記載欄に記載された人物の性別を記載する性別記載欄と、
前記氏名記載欄に記載された人物の出生地を記載する出生地記載欄と、
前記氏名記載欄に記載された人物の生没年月日を記載する生没年月日記載欄と、
前記氏名記載欄に記載された人物の父、母、配偶者の前記識別記号及び氏名を記載する縁戚関係記載欄を備える個別名簿を更に有することを特徴とする請求項１乃至４いずれかに記載の家系録。
【請求項６】
前記縁戚一覧名簿に記載された前記識別記号を記載する識別記号記載欄と、
前記識別記号に対応する人物の氏名を記載する氏名記載欄と、
前記氏名記載欄に記載された人物の法要行事名及び日程を記載する行事予定記載欄を備える行事日程表を更に有することを特徴とする請求項１乃至５いずれかに記載の家系録。
【請求項７】
前記縁戚一覧名簿に記載された前記識別記号を記載する識別記号記載欄と、
前記識別記号に対応する人物の氏名を記載する氏名記載欄と、
前記氏名記載欄に記載された人物の住所並びに電話記号を記載する連絡先記載欄を備える住所録を更に有することを特徴とする請求項１乃至６いずれかに記載の家系録。
【請求項８】
前記家系録に縁戚関係者を記入した記入者の氏名を記載する記入者欄と、
前記記入者が家系録に記入した縁戚者の前記識別記号を記載する記入識別記号記載欄と、
前記記入者が家系録に記入した日付を記載する記入日欄を備える記入者記録を更に有することを特徴とする請求項１乃至７いずれかに記載の家系録。
【請求項９】
氏名、住所及び電話番号からなる個人情報と、
前記個人情報が記録された人物に付与される識別記号を有する識別情報と、
父、母、配偶者等の縁戚関係ごとに分類されるとともに、前記個人情報が記録された人物と前記分類された縁戚関係に該当する人物に付与される識別記号を保有する縁戚関係情報とからなるデータを複数格納するデータベースと、
氏名を入力する入力手段と、
前記入力手段で入力された氏名を前記データベース内で検索し、該入力された氏名と一致する氏名を有するデータを抽出する第１処理手段と、
前記第１処理手段によって抽出されたデータの前記縁戚関係情報が保有する識別記号を参照し、該参照された識別記号を前記データベース内で検索し、該参照された識別記号と一致する識別記号を有する識別情報を保有するデータを抽出する第２処理手段と、
前記第１処理手段及び前記第２処理手段によって抽出されたデータを記憶する記憶手段と、
前記記憶手段に記憶されたデータを出力する出力手段を備えることを特徴とする家系録システム。
【請求項１０】
前記入力手段が更に親等数を入力可能とされ、
前記第２処理手段が、一のデータを抽出した後に、該一のデータの縁戚関係情報が保有する識別記号を参照し、該参照された識別記号を前記データベース内で検索し、該参照された識別記号と一致する識別記号を有する識別情報を保有するデータを抽出する工程を前記入力手段によって入力された氏名を有する人物の前記入力された親等数内の縁戚関係者を全て抽出するまで繰り返すことを特徴とする請求項９記載の家系録システム。
【請求項１１】
前記縁戚関係情報が父、母、兄弟姉妹、配偶者及び子それぞれに付された識別記号であることを特徴とする請求項９又は１０記載の家系録システム。
【発明の詳細な説明】
【技術分野】
【０００１】
本発明は、閲覧時に場所を取らず、容易に縁戚関係を見出すことが可能であり、且つ縁戚関係の記録が容易な家系録及び家系録システムに関する。
【背景技術】
【０００２】
従来日本人は三世代同居の居住様式であった。また、近所には縁戚者も住んでおり、自己の縁戚関係を自然と把握できたものであった。
しかしながら、近年核家族化が進むとともに、親戚との交流も希薄となり、縁戚関係を把握することが非常に困難な状況となっている。
したがって、近年冠婚葬祭で縁戚関係者が集う機会には、互いが如何なる関係であるのかが分からず、非常に気まずい思いをすることも増えてきている。
【０００３】
従来縁戚関係を把握する手段として、家系図が用いられる。従来の家系図は、上方に第１世代の氏名を記載し、その下方に第２世代、即ち第１世代の子供の氏名及び該子供の配偶者の氏名を記載し、更にその下方に第３世代、即ち第２世代の子供の氏名及び該子供の配偶者の氏名を記載するといったピラミッド形式で世代を下るごとに記載人数が増加するものであった。また、縁戚関係をより確実に把握可能な家系図を作成しようとすれば、更に配偶者の縁戚関係もこれに加える必要がある。
このように、従来の家系図によれば、家の歴史が長くなり、記載すべき世代が多くなればなるほど、或いは子供の数が増えれば増えるほど膨大な紙面を要するものであった。
【０００４】
このような問題を解決するために、特許文献１には、直系血族の情報のみを記載する家系図表と他の縁戚関係を示す複数の縁戚関係図表からなる家系図が提案されている。特許文献１に提案される家系図は、家系を示す複数の図からなり、必要最低限度の縁戚関係者に係る情報を提供可能であるが、従来の家系図の如くピラミッド形式で記載する方式を採用しているため、閲覧するためには１枚の紙を広げる必要があり、例えば、冠婚葬祭の場で縁戚関係を確認するには不都合を有するものであった。
また、記載可能な縁戚関係が限られているため、これから外れる縁戚関係者の記載は困難であり、代々子孫に受け継いでいくような家系図を作成することは不可能であった。
【０００５】
また、従来の家系図では、上述の如く縁戚関係をまとめようとすれば、自ずから広い紙面を必要とし、家系図に書き込むことのできる情報も限られるものであり、縁戚関係者全ての住所等の連絡先を記録することは困難であった。このため、家系図と縁戚関係者の連絡先を一体にまとめることができず、冠婚葬祭等の祭事の際に縁戚関係者への連絡作業は非常に煩雑なものであった。
例えば、葬儀の際には、故人に対して、一定の親等数内の縁戚関係者に連絡する必要が生ずるが、従来においては、縁戚関係者のうち誰がどの親等数にいるのかを調べ、その後その縁戚者の連絡先を調べる必要があった。
しかしながら、従来において、このような連絡業務の負担を軽減可能なシステムは存在しなかった。
【０００６】
【特許文献１】実用新案登録第３００３９８７号公報
【発明の開示】
【発明が解決しようとする課題】
【０００７】
本発明は上記実情を鑑みてなされたものであって、冠婚葬祭の場で容易に縁戚関係を確認可能なほど小さな紙面で作成可能であり、且つより多くの縁戚関係者を記録することが可能な家系録及び家系録システムを提供することを目的とする。
【課題を解決するための手段】
【０００８】
請求項１記載の発明は、複数の行と列に分割された表からなる縁戚一覧名簿を有する家系録であって、前記縁戚一覧名簿は、氏名を記載する氏名記載欄と、該氏名記載欄に記載される人物に対してそれぞれ異なる記号で割り当てられる識別記号を記載する識別記号記載欄と、前記氏名記載欄に記載された一の人物と他の人物との縁戚関係を記載する縁戚関係記載欄とが、行方向又は列方向に任意の順序で並んで形成されてなり、前記縁戚関係記載欄は複数の行又は列から構成され、各行又は列は、父、母、配偶者等の縁戚関係の種類ごとに分類され、一の氏名記載欄と同じ行又は列にある一の縁戚関係記載欄には、縁戚関係記載欄の分類にしたがって、該一の氏名記載欄に記載された人物の該分類の縁戚関係に該当する人物に割り当てられた識別記号がそれぞれ記載されることを特徴とする家系録である。
請求項２記載の発明は、前記縁戚関係記載欄が、父、母、兄弟姉妹、配偶者及び子に分類されていることを特徴とする請求項１記載の家系録である。
請求項３記載の発明は、前記氏名記載欄が更に、旧姓を記載する欄を備えることを特徴とする請求項１又は２記載の家系録である。
請求項４記載の発明は、前記縁戚一覧名簿が姓ごとに作成され、前記識別記号が姓を識別するための文字を包含していることを特徴とする請求項１乃至３いずれかに記載の家系録である。
【０００９】
請求項５記載の発明は、前記縁戚一覧名簿に記載された前記識別記号を記載する識別記号記載欄と、前記識別記号に対応する人物の氏名を記載する氏名記載欄と、前記氏名記載欄に記載された人物の性別を記載する性別記載欄と、前記氏名記載欄に記載された人物の出生地を記載する出生地記載欄と、前記氏名記載欄に記載された人物の生没年月日を記載する生没年月日記載欄と、前記氏名記載欄に記載された人物の父、母、配偶者の前記識別記号及び氏名を記載する縁戚関係記載欄を備える個別名簿を更に有することを特徴とする請求項１乃至４いずれかに記載の家系録である。
請求項６記載の発明は、前記縁戚一覧名簿に記載された前記識別記号を記載する識別記号記載欄と、前記識別記号に対応する人物の氏名を記載する氏名記載欄と、前記氏名記載欄に記載された人物の法要行事名及び日程を記載する行事予定記載欄を備える行事日程表を更に有することを特徴とする請求項１乃至５いずれかに記載の家系録である。
請求項７記載の発明は、前記縁戚一覧名簿に記載された前記識別記号を記載する識別記号記載欄と、前記識別記号に対応する人物の氏名を記載する氏名記載欄と、前記氏名記載欄に記載された人物の住所並びに電話記号を記載する連絡先記載欄を備える住所録を更に有することを特徴とする請求項１乃至６いずれかに記載の家系録である。
請求項８記載の発明は、前記家系録に縁戚関係者を記入した記入者の氏名を記載する記入者欄と、前記記入者が家系録に記入した縁戚者の前記識別記号を記載する記入識別記号記載欄と、前記記入者が家系録に記入した日付を記載する記入日欄を備える記入者記録を更に有することを特徴とする請求項１乃至７いずれかに記載の家系録である。
【００１０】
請求項９記載の発明は、氏名、住所及び電話番号からなる個人情報と、前記個人情報が記録された人物に付与される識別記号を有する識別情報と、父、母、配偶者等の縁戚関係ごとに分類されるとともに、前記個人情報が記録された人物と前記分類された縁戚関係に該当する人物に付与される識別記号を保有する縁戚関係情報とからなるデータを複数格納するデータベースと、氏名を入力する入力手段と、前記入力された氏名を前記データベース内で検索し、該入力された氏名と一致する氏名を有するデータを抽出する第１処理手段と、前記第１処理手段によって抽出されたデータの前記縁戚関係情報が保有する識別記号を参照し、該参照された識別記号を前記データベース内で検索し、該参照された識別記号と一致する識別記号を有する識別情報を保有するデータを抽出する第２処理手段と、前記第１処理手段及び前記第２処理手段によって抽出されたデータを記憶する記憶手段と、前記記憶手段に記憶されたデータを出力する出力手段を備えることを特徴とする家系録システムである。
請求項１０記載の発明は、前記入力手段が更に親等数を入力可能とされ、前記第２処理手段が、一のデータを抽出した後に、該一のデータの縁戚関係情報が保有する識別記号を参照し、該参照された識別記号を前記データベース内で検索し、該参照された識別記号と一致する識別記号を有する識別情報を保有するデータを抽出する工程を前記入力手段によって入力された氏名を有する人物の前記入力された親等数内の縁戚関係者を全て抽出するまで繰り返すことを特徴とする請求項９記載の家系録システム。
請求項１１記載の発明は、前記縁戚関係情報が父、母、兄弟姉妹、配偶者及び子それぞれに付された識別記号であることを特徴とする請求項９又は１０記載の家系録システムである。
【発明の効果】
【００１１】
請求項１及び２記載の発明によれば、識別記号にしたがって縁戚一覧名簿を閲覧することで、縁戚一覧名簿に記載された人物の縁戚関係を把握することが可能となる。また、行と列からなる表に縁戚関係がまとめられているので、例えばＢ５やＡ４といった大きさの紙面に縁戚関係を記すことができ、大きな紙面を広げる必要がなく、閲覧作業が容易となる。更に、行と列からなる表に縁戚関係がまとめられているので、表が書かれた紙面を追加することによって、随時縁戚関係者を表に記録することができ、人数に関係なく縁戚関係者をまとめることができる。
請求項３記載の発明によれば、縁戚一覧名簿を閲覧することにより、縁戚一覧名簿に記録された人物の新姓或いは旧姓が把握可能となり、縁戚関係をより容易に把握することが可能となる。
請求項４記載の発明によれば、縁戚一覧名簿が姓ごとに分類されているので、より閲覧しやすい家系録となる。
【００１２】
請求項５記載の発明によれば、縁戚一覧名簿に記載された識別記号にしたがって、個別名簿を閲覧することによって、その識別記号が付された人物の氏名、性別、生没年月日、その人物の第１親等者に付された識別記号及び氏名及び墓所の情報を得ることが可能となり、家系録に記された人物のより詳しい情報を閲覧可能となる。
請求項６記載の発明によれば、縁戚一覧名簿に記載された識別記号にしたがって、行事日程表を閲覧することによって、法要行事及びその日程を把握することができる。
請求項７記載の発明によれば、縁戚一覧名簿に記載された識別記号にしたがって、住所録を閲覧することによって、家系録に記された人物の連絡先が把握でき、冠婚葬祭等の行事の際の連絡作業を円滑に行うことができる。
請求項８記載の発明によれば、家系録の記入者及び記入された縁戚者の範囲が明確となり、家系録の引継ぎが円滑に行われる。
【００１３】
請求項９記載の発明によれば、入力された氏名を有する人物の特定の縁戚関係にある者の氏名、住所及び電話番号を容易に割り出すことが可能となる。
請求項１０及び１１記載の発明によれば、入力手段により入力された縁戚者の一定親等数内の縁戚者を一覧することができ、冠婚葬祭行事の連絡業務が円滑に行われることとなる。
【発明を実施するための最良の形態】
【００１４】
以下、本発明に係る家系録の実施形態について、図を参照しつつ説明する。図１は本発明に係る家系録の縁戚一覧名簿を示す。
図１に示す如く縁戚一覧名簿（１）は行と列に分割された表からなる。左方第１行には縁戚一覧名簿（１）に記録される人物を識別するための識別記号を記載する識別記号記載欄（１１）が縦に配列されている。本実施例において、識別記号として「１」から順に増加していく番号が用いられている。しかしながら、これは限定的なものではなく、アルファベット、ひらがな或いはカタカナなどの組み合わせであってもよい。尚、識別記号は記録される人物に対してそれぞれ異なるものが用いられる。
左方第２及び第３行には、氏名記載欄（１２）が縦に配列されている。氏名記載欄（１２）には、縁戚者の氏名が記載される。尚、本実施例において、氏名記載欄は２行にわたって配列され、そのうち一つの行は新姓或いは旧姓を記載するための行である。このように新姓及び旧姓の記載欄を設けることにより、縁戚一覧名簿を閲覧することによって、縁戚者の縁戚関係をより容易に且つ正しく把握することが可能となる。
氏名記載欄（１２）の右方に並ぶ行は縁戚関係記載欄（１３）である。縁戚関係記載欄（１３）は特定の縁戚関係、即ち父、母、兄弟姉妹、配偶者及び子の行に分類されている。このように縁戚関係記載欄（１３）を分類することによって、氏名記載欄に記載された人物の近親者を容易に把握できるとともに、後述するように、識別記号にしたがって、その人物のその他の縁戚関係者を把握することが可能となる。
【００１５】
図２に図１に示した縁戚一覧名簿（１）への記載例を示す。
上述の如く識別記号記載欄（１１）には、「１」から「１５」までの記号を識別記号として記載する。また氏名記載欄（１２）には縁戚者の氏名が記載される。また結婚等にて姓が変更された者には、旧姓を記録する。例えば、識別記号「２」を付された「大化  桜」の列を参照すれば、縁戚一覧名簿（１）左方第２行目の新姓或いは旧姓の記載欄の「新旧」の文字の「旧」の文字に丸が付けられ、記載欄には旧姓たる「天平」が記録されている。このように旧姓が記録されることで、「大化  桜」の結婚前の姓が「天平」であることが把握される。
【００１６】
次に縁戚関係記載欄（１３）の記載例を参照する。ここで、図２において、識別記号「３」が付された「大化道真」を例にとって説明する。「大化道真」の父は識別記号「１」が付された「大化義経」であり、母は識別記号「２」が付された「大化  桜」である。また、「大化道真」には弟「大化道元」がおり、「大化道元」には識別記号「４」が付されている。
以上のような縁戚関係を有する「大化道真」についての縁戚関係記載欄（１３）の記載は次のようになる。縁戚関係記載欄（１３）の「父」の行にある欄には、「大化道真」の父「大化義経」に付された識別記号「１」を記載する。「母」の行にある欄には、「大化道真」の母「大化  桜」に付された識別記号「２」を記載する。「兄弟姉妹」の行にある欄には、「大化道真」の弟「大化道元」に付された識別記号「４」を記載する。尚、「兄弟姉妹」の行の記載において、兄弟姉妹のうち年長者を上段に書く等の法則を決めて記載すると、識別記号及び記載位置から「兄」「弟」「姉」「妹」の判断が可能となる。ここでは、兄弟姉妹のうち年長者を上段に書くという法則に基づいて記載を行っているので、「大化道真」よりも下段に記載された「大化道元」が、「大化道真」の弟であることが判別できる。
【００１７】
続いて、「大化道真」の配偶者である「大化菊子」の氏名を識別記号「７」の列に記載したものとする。このとき、「大化道真」の配偶者の欄には識別記号「７」を記載する。同様に、「大化道真」の子である「大化花子」、「大化百合」及び「大化政宗」の氏名を識別記号「１１」、「１２」及び「１３」に記載したものとする。このとき、「大化道真」の子の欄には識別記号「１１」、「１２」及び「１３」を記載する。
このように縁戚関係記載欄（１３）には、近親者に付された識別記号のみ記載すればよいので、縁戚者の氏名を記載するよりも記載空間を小さくすることができるとともに、記載が非常に容易となる。
【００１８】
上述のようにして、縁戚一覧名簿（１）を完成させる。尚、図２において、識別記号「１５」までの縁戚者のみが示されているが、同様の縁戚一覧名簿（１）を用意して、識別記号「１６」以降の識別記号を付される縁戚者を記録することができる。このように、縁戚一覧名簿（１）が行と列に分割された表からなるので、１つの紙面に全ての縁戚者を記す必要がなく、適宜記載人数に応じて記載紙面を増やせばよいので、記載作業の煩わしさが解消される。
【００１９】
次に縁戚一覧名簿（１）の閲覧方法について述べる。上述の如くして、縁戚一覧名簿（１）に必要とされる全ての縁戚関係者が記録されたものとする。ここで、識別記号「１３」が付された「大化政宗」の縁戚関係を閲覧する。
識別記号「１３」の列を参照すると、「大化政宗」の第１親等内の縁戚関係が把握可能である。識別記号「１３」の列の縁戚関係記載欄（１３）の「父」の欄には「３」が付され、「母」の欄には「７」が付されている。したがって、「大化政宗」の「父」が誰であるかを閲覧する場合には、識別記号「３」の列を参照すればよく、ここで識別記号「３」の列には「大化道真」の氏名が記載されているので、「大化政宗」の「父」が「大化道真」であることが把握される。同様に「母」を閲覧したい場合には、識別記号「７」を参照し、「大化政宗」の「母」が「大化菊子」であることが把握される。
【００２０】
更に「大化政宗」の第２親等の縁戚者を閲覧する場合について説明する。ここでは、「大化政宗」の父方の祖父母が誰であるかを閲覧する。
上述の如く「大化政宗」の「父」が識別記号「３」を付された「大化道真」であることが把握されている。したがって、父方の祖父母を閲覧するには、「大化道真」の「父」及び「母」を調べればよい。識別記号「３」の列の「父」及び「母」の欄にはそれぞれ「１」及び「２」の識別記号が付されている。識別記号「１」の列には「大化義経」の氏名が記載されており、識別記号「２」の列には「大化  桜」の氏名が記載されている。したがって、「大化政宗」の父方の祖父母が「大化義経」及び「大化  桜」であることが把握される。
同様にして、他の第２親等の縁戚者を辿ることが可能である。更に、識別記号を辿ることによって、第３親等或いはそれ以上の親等の縁戚者が誰であるか把握することも可能である。
【００２１】
尚、縁戚一覧名簿（１）の氏名記載欄（１２）には、年長者順に記載していくほうが好ましい。年長者順に記載することによって、同世代の人物を並べて記載することができ、閲覧しやすい縁戚一覧名簿（１）を構成することができる。
他の縁戚一覧名簿（１）の構成方法として、図３に示す方法を採用してもよい。
図３は、図２にした縁戚一覧名簿（１）を記載された姓ごとに１つの名簿とした形態である。図２には「大化」なる姓と「和銅」なる姓が記載されていた。これを「大化」なる姓を抽出して１つの名簿とし（図３上段に示す名簿）、「和銅」なる姓を抽出して他のもう一つの名簿（図３下段に示す名簿）とした。また識別記号には、姓の第１音を表す文字と番号を組合わせたものが用いられている。例えば「大化」の第１音「た」をとり、これに番号を付け加えたものが、図３に示されている。
このように姓ごとに表を作り、また識別記号に姓の第１音を組合わせたものを用いると、縁戚一覧名簿（１）を５０音にしたがって整理可能であり、縁戚者の氏名から縁戚関係を閲覧することが容易となる。尚、図３に示す例においては「た」や「わ」といったひらがな文字が用いられたが、これに限られるものではなく、カタカナ文字やアルファベットが用いられてもよい。
上記図１乃至図３に示す縁戚一覧名簿（１）の行と列を入れ替えて、縁戚一覧名簿（１）を作成してもよいことはもちろんである。
【００２２】
図４に、本発明に係る個別名簿（２）を示す。
個別名簿（２）は、記載される人物の個人データを記載するための個人データ表（２０）と、個人データ表（２０）の下方にその他のデータを記載するための個人データ記載欄（２００）を備える。そして、個人データ表（２０）と個人データ記載欄（２００）が一つの組となって、記載される人物ごとに記載可能とされる。図４に示す例においては、３人分の個人データが記載可能となっている。
【００２３】
個別データ表（２０）の左方第１欄は識別記号記載欄（２１）である。識別記号記載欄（２１）には、縁戚一覧名簿（１）で定められた記載しようとする人物の識別記号を記載する。識別記号記載欄（２１）右隣には氏名記載欄（２２）が配置される。氏名記載欄（２２）は２つの記載欄からなり、１つの記載欄は新姓若しくは旧姓を記載するための欄であり、他のもう１つの欄は氏名を記載するための欄である。氏名記載欄（２２）には、識別記号記載欄（２１）に記載された識別記号に対応する人物の氏名を記載する。また、新姓或いは旧姓を有する人物の場合は、新姓或いは旧姓を記載する。例えば図４中中段に示される識別記号「１４」の付された個人データ表（２０）を参照すると、「大化梅子」の旧姓は「平安」であり、「新旧姓」の文字の「旧」の文字に丸印が付されており、欄内に旧姓である「平安」の文字が記載されている。このようにして、「大化梅子」の旧姓が「平安」であることが理解される。
尚、氏名の記載に伴って、振り仮名が共に表記されていることが好ましい。振り仮名を共に表記することによって、読み方が難しい氏名であっても正しい氏名を把握することが容易となる。
【００２４】
氏名記載欄（２２）の右隣には性別を記載する性別記載欄（２３）が設けられる。性別記載欄（２３）には予め「男女」の文字が記されている。氏名記載欄（２２）に記載された人物の性別が男性ならば「男」の文字に丸印を付し、女性ならば「女」の文字に丸印を付することによって、男女の別を識別可能としている。このように性別記載欄（２３）を設けることによって、氏名からでは男女の別を識別することが困難である場合でも、容易に男性・女性の別を識別可能となる。
性別記載欄（２３）の右隣には、氏名記載欄（２２）に記載された人物の出生地を記載する出生地記載欄（２４）が設けられる。また出生地記載欄（２４）の右隣には氏名記載欄（２２）に記載された人物の生没年月日を記載する生没年月日記載欄（２５）が設けられている。このような欄（２４、２５）を設けることによって、氏名記載欄（２２）に記載された人物の出生地や生年月日或いは没年月日を把握可能となる。
【００２５】
個人データ表（２０）の下方には、個人データ記載欄（２００）が設けられている。個人データ記載欄（２００）は、その人物の父、母及び配偶者の識別記号並びに氏名を記載するための記載欄を備える。更に、その人物の墓所を記載可能となっている。更に、備考欄を設け、その人物のその他情報を記載可能としている。備考欄には、その人物の子の識別番号並びに氏名が記載されてもよい。更には、備考欄にその人物の病歴などを記録することによって、その家系の罹りやすい遺伝的な病気などが子孫に情報として伝達されることになり、病気の予防に役立つものとなる。
【００２６】
ここで、図４中上段に配される識別記号「１３」の「大化政宗」を例にとって、個別名簿（２）の記載例について説明する。
図２に示すように、縁戚一覧名簿（１）で「大化政宗」には「１３」の識別記号が付されたので、図４に示す個別名簿（２）の個人データ表（２０）の識別記号記載欄（２１）には、同じ「１３」の識別記号が記載される。そして、氏名記載欄（２２）には「大化政宗」と氏名を記載する。「大化政宗」の性別は男性であるので、性別記載欄（２３）に予め記載された「男女」の文字のうち「男」の文字に丸印を付し、性別を明らかにする。また「大化政宗」の出生地は大阪市淀川区であるので、出生地記載欄（２４）に「大阪市淀川区」と記載する。また、生没年月日には「大化政宗」の生年月日「昭和２年８月４日」及び没年月日「平成１１年６月５日」と記載する。
個人データ記載欄（２００）には、「大化政宗」の父、母及び配偶者の識別記号並びに氏名を記載する。図２において、「大化政宗」の父は、識別記号「３」を付された「大化道真」であり、母は識別記号「７」を付された「大化菊子」であり、配偶者は識別記号「１４」を付された「大化梅子」である。したがって、これら情報を個人データ記載欄（２００）に記載する。また、「大化政宗」の墓所は、「大阪霊園」であるので、その霊園名並びに所在地を個人データ記載欄（２００）に記載する。
同様にして、縁戚一覧名簿（１）に記載された他の人物の個人データを個別名簿（２）に記載する。
【００２７】
このようにして完成された個別名簿（２）を閲覧することによって、閲覧者は記載された人物のより詳しい情報を得ることができる。「大化政宗」を例にとれば、「大化政宗」が男性であり、出生地は大阪市であり、昭和２年に生まれた人物であることが分かる。このような情報が冠婚葬祭の場での話題のきっかけとなり、これまで親しくしていなかった縁戚者と親しくなれる機会をもたらすものとなる。
【００２８】
家系録が縁戚一覧名簿（１）に加えて、個別名簿（２）を備えることによって、縁戚関係を容易に把握できるのみならず、縁戚一覧名簿（１）に記載された人物のより詳しい情報を提供できるものとなる。またこれらを冊子状にまとめることによって、必要な情報を容易に閲覧可能となり、例えば冠婚葬祭の場において、即座に知りたい縁戚関係者の情報を知ることが可能となる。
【００２９】
図５に、行事日程表を示す。行事日程表（３）には、故人の法要行事の日程を書き込み、法要行事がいつ行われるかを明らかにするものである。このような行事日程表（３）を家系録が備えることによって、縁戚者の法要行事がいつ行われるかが予め知ることができる。
行事日程表（３）は行と列に分割された表からなる。行事日程表（３）の左方第１行は識別記号記載欄（３１）である。識別記号記載欄（３１）には、縁戚一覧名簿（１）で定義された記載人物に応じた識別記号を記載する。
識別記号記載欄（３１）の右隣の欄は、氏名記載欄（３２）である。氏名記載欄（３２）には、識別記号記載欄（３１）に記載された識別記号に対応する人物の氏名を記載する。尚、図５に示すように、氏名に加えて、戒名或いは法名を記載してもよい。
氏名記載欄（３２）より右方に配される欄は、行事予定記載欄（３３）である。行事予定記載欄（３３）には、行事の名称並びに行事の日程を記載する。尚、図５に示す例においては、行事予定記載欄（３３）には、行事が行われる年が記載され、識別記号記載欄には、命日が記載され、行事予定欄に記載された年と命日から行事日程が把握可能となっている。しかしながら本発明はこの実施例に限られるものではなく、行事予定記載欄（３３）に行事が行われる年月日を記載してもよい。
【００３０】
ここで、図５に示す行事日程表（３）の記載例について、識別記号「１３」が付された「大化政宗」を例にとって説明する。
図２に示す如く、縁戚一覧名簿（１）のところで、「大化政宗」に対して識別記号「１３」が付されている。したがって、識別記号記載欄（３１）に識別記号「１３」を記載し、氏名記載欄（３２）に「大化政宗」と記載する。また、図４で示す個別名簿（２）において記載したように、「大化政宗」の没年月日は平成１１年６月５日であるので、識別記号記載欄に設けられた命日記載欄に「６／５」（６月５日）と記載し、行事予定記載欄（３３）の左方第１欄には「７回忌  ２００５年」と記載する。そして、以後続く法要日程をその右方に設けられた欄に順次記載する。
このようにして記載された行事日程表（３）を閲覧すれば、「大化政宗」の法要日程が一覧できる。また、他の縁戚関係者の法要日程も一目で分かり、不定期に訪れる縁戚者の法要行事を漏らさず把握可能となる。
尚、図示例では、仏教の法要行事を記載しているが、本発明はこれに限られるものではなく、他の宗教の行事日程を記載してもよく、その故人の信仰する宗教に合わせて行事日程を記載すればよい。
【００３１】
図６に、住所録を示す。住所録（４）には、縁戚一覧名簿（１）に記載された縁戚者の連絡先を明らかにするものである。住所録（４）を家系録が備えることによって、縁戚者への冠婚葬祭行事の連絡を円滑に行うことができる。また年賀状等の定期的な連絡等の用に供することができる。
住所録（４）は行と列に分割された表からなる。住所録（４）の左方第１行は識別記号記載欄（４１）である。識別記号記載欄（４１）には、縁戚一覧名簿（１）で定義された記載人物に応じた識別記号を記載する。
識別記号記載欄（４１）の右隣の欄は、氏名記載欄（４２）である。氏名記載欄（４２）には、識別記号記載欄（４１）に記載された識別記号に対応する人物の氏名を記載する。
氏名記載欄（４２）の右方に配される欄は、連絡先記載欄（４３）である。連絡先記載欄（４３）には、郵便番号、住所、電話番号やE-mailアドレスを記載する。
家系録が住所録（４）を備えることによって、現存する縁戚者の連絡先を漏らさず管理することが可能となり、縁戚者への連絡を円滑に行うことが可能となる。
また、行事日程表（３）と住所録（４）を共に備えることによって、法要等の行事の連絡を非常に円滑に行うことが可能となる。
【００３２】
図７に、記入者記録を示す。記入者記録（５）には、記入者が家系録中の縁戚者記録のどの部分を記載したかを明確にする。このように、縁戚者記録のどの部分を記入者が記載したかを明確にすることによって、家系録が代々引き継がれるときの引継ぎ作業が円滑に行われるようになる。
記入者記録（５）は行と列に分割された表からなる。記入者記録（５）の左方第１行は、記入識別記号記載欄（５１）である。記入識別記号記載欄（５１）には、記入者が家系録に記入した縁戚者の識別記号を記入する。例えば、記入者が識別記号「１００」から「２００」までの縁戚者を記録した場合には、識別記号「１００」から「２００」と記入する。
記入識別記号記載欄（５１）の右隣の欄は、記入日欄（５２）である。記入日欄（５２）には、家系録に新たな縁戚者を記録した日を記入する。このように記入日欄（５２）を設けることにより、いつ家系録が更新されたのかが明確になる。記入日欄（５２）の右隣の欄は記入者欄（５３）であり、記入者の識別番号及び氏名を記載する。
【００３３】
尚、家系録は図８に示すような法律で定められる親族関係をまとめた親族関係表を備えてもよい。親族関係表を備えることで、縁戚者が法律上どのような親族関係、例えば何親等以内に当たる者なのか、或いは血族であるのか姻族であるのかなどを容易に把握することが可能となる。
また、家系録は図９に示すような年号表を備えてもよい。年号表で、和暦の年号と西暦を対比可能とすることによって、和暦で記載された年月日の西暦への換算或いは西暦から和暦への換算が容易となる。
更には、家系録は墓所の地図を備えるものであってもよい。墓所の地図には、霊園名や霊園の所在地を記してあることが好ましい。このようにすれば、墓所を参拝する際に家系録を携えることで、墓所への道を迷うことがない。更に、墓所に埋葬されている者の氏名及び識別番号が地図に記載されていることが好ましい。
【００３４】
図１０に示すように、上記した縁戚一覧名簿（１）や更に個別名簿（２）、行事日程表（３）、住所録（４）、記入者記録（５）、親族関係表或いは年号表をまとめて冊子状にして家系録（Ｈ）を形成してもよい。このようにすると、例えば冠婚葬祭の場において、本を読むように少ないスペースで家系録（Ｈ）を閲覧することが可能となり、冠婚葬祭の場において、どのような関係の人物であるかを知りたいときに容易にその人物情報を得ることが可能となる。
【００３５】
図１１に上記家系録がデータベース化された形態を示す。
データベース（６）に格納されるデータは、個人情報（６１）、識別情報（６２）及び縁戚関係情報（６３）からなる。
個人情報（６１）は、対象人物の氏名、住所及び電話番号の情報である。
識別情報（６２）は、対象人物それぞれに付与される識別記号であり、データベース内の対象人物にはそれぞれ異なる識別記号が付与されている。図１１に示す例では、「１」から「Ｎ」までの番号で表されている。
縁戚関係情報（６３）は、特定の縁戚関係に該当する対象に付与された識別情報（６２）を保有する。図１１に示される例においては、特定の縁戚関係として、父、母、兄弟姉妹、配偶者及び子を対象としている。そして、対象人物の父、母、兄弟姉妹、配偶者及び子に付与された識別記号を情報として保有する。
対象人物一人に対して、個人情報（６１）、識別情報（６２）及び縁戚関係情報（６３）を一つの組としてデータを構成する。
このようなデータが複数格納されたものが図１１で示すデータベース（６）である。
データベース（６）をコンピュータに記録し、プリンタで図１に示すような縁戚一覧名簿（１）の出力形式で出力することで、縁戚一覧名簿（１）を作成することが可能である。
このようにデータベース化することで、縁戚関係の変化に対して更新が容易となる。
【００３６】
上記データベース（６）を利用し、更に冠婚葬祭時に役立つ家系録システムを構築することができる。
図１２に家系録システムのブロック図を示し、図１１及び図１２を用いて、家系録システムについて説明する。
家系録システムは氏名及び親等数を入力するための入力手段（７）を備える。更に、データベース（６）内に格納された個人情報（６１）の中から、入力手段によって入力された氏名と一致するデータを抽出する第１処理手段（９１）を備える。次に、第２処理手段（９２）は、第１処理手段（９１）によって抽出されたデータの縁戚関係情報（６３）を参照し、その縁戚関係情報（６３）が保有する識別記号を、データベース（６）内のデータの識別情報（６２）内で検索し、一致する識別記号を保有する識別情報（６２）を保有するデータを抽出する。第２処理手段（９２）は、後述するように、入力手段（７）で入力された親等数に応じて、縁戚関係情報（６３）内に格納されている識別記号を選択し、第２処理手段（９２）が抽出したデータの縁戚関係情報（６３）が保有する識別記号を参照し、その参照された識別記号を保有する識別情報（６２）を更に抽出する。
このようにして、第１処理手段（９１）及び第２処理手段（９２）によって抽出されたデータはメモリ等の記憶手段（９３）に記憶され、蓄積される。そして、記憶手段（９３）によって蓄積されたデータは、モニタやプリンタ等の出力手段（８）によって出力される。
【００３７】
図１２を用いて、上記システムを説明する。
入力手段（７）によって、名前「Ｘ」が入力される。第１処理手段（９１）はデータベース（６）に格納された個人情報（６１）を検索する。図１２に示す例においては、「データＩ」に名前「Ｘ」が格納されているので、「データＩ」を抽出する。第２処理手段（９２）は「データＩ」の縁戚関係情報（６３）を参照する。縁戚関係情報（６３）には、識別記号「Ａ」が格納されている。第２処理手段（９２）は、データベース（６）内のデータの識別情報（６２）を検索する。図１２に示す例において、「データＪ」が識別記号「Ａ」を保有するので、「データＪ」を抽出する。
記憶手段（９３）は、このようにして抽出された「データＩ」及び「データＪ」を記憶する。記憶手段（９３）に記憶されたこれらデータは出力手段（８）によって出力される。
【００３８】
ここで、より具体的な例を示すため、図１１を用いて、特定人物の第２親等内の縁戚者を抽出する場合を考える。
まず、特定人物の氏名を入力手段により入力し、また親等数を「２」と入力する。
第１処理手段（９１）は入力された氏名と一致する氏名をデータベース（６）内に格納された個人情報（６１）の中から検索し、一致した氏名を有するデータを抽出する。ここでは入力手段と一致した氏名が図１１中「データ３３」に格納されていたものとする。
次に第２処理手段（９２）は、縁戚関係情報（６３）を参照し、縁戚関係情報（６３）の保有する識別記号を有するデータをデータベース（６）内に格納された識別情報（６２）の中から検索し、縁戚関係情報（６３）内の識別記号と一致する識別記号を備える識別情報（６２）が格納されたデータを抽出する。例えば「データ３３」の人物の縁戚関係情報のうち「データ３３」の父の欄に格納された識別記号は「１０」であるので、「１０」の識別記号を備える識別情報（６２）を検索する。その結果一致する識別記号「１０」を備える識別情報（６２）は、「データ１０」である。この「データ１０」は第２処理手段（９２）によって抽出される。同様にして、「母」（第１親等）、「兄弟姉妹」（第２親等）、「配偶者」及び「子」（第１親等）のデータが抽出される。
入力手段（７）により入力された特定人物の「祖父」は第２親等に該当するので、更に、上述の如く抽出された「父」のデータ、即ち「データ１０」内の縁戚関係情報（６３）を参照する。上述と同様にして、縁戚関係情報（６３）の保有する識別記号を有するデータをデータベース内（６）に格納された識別情報（６２）の中から検索し、縁戚関係情報（６３）内の識別記号と一致する識別記号を備える識別情報（６２）が格納されたデータを抽出する。ここでは、「データ１０」の父の欄に格納された識別記号は「１」であるので、「１」の識別記号を備える識別情報（６２）を検索する。その結果一致する識別記号「１」を備える識別情報（６２）は、「データ１」である。この「データ１」は第２抽出手段（９２）によって抽出される。同様にして、「母」の「母」のデータ（祖母）、「子」の「子」のデータ（孫）など、第２処理手段（９２）は縁戚関係情報（６３）内で分類される縁戚関係ごとに格納される識別記号を適宜選択し、該選択された識別記号に基づいて、入力手段（７）によって指定された親等数内の縁戚関係者のデータを抽出する。
ここでは、入力手段（７）によって、親等数が「２」と入力されているので、第２親等内にある全ての縁戚者のデータが第２処理手段（９２）によって抽出される。
そして、第１処理手段（９１）及び第２処理手段（９２）によって抽出されたデータは記憶手段（９３）に記憶・蓄積される。
記憶手段（９３）に記憶されたデータは出力手段（８）に送られ、出力手段（８）はモニタ上にまとめられたデータを映したり、印刷したりする。
尚、親等数は、父母や子等の直系血族においては１親等ずつ増加するのに対し、その他の傍系血族においては２親等ずつ増加する。したがって、第２処理手段（９２）が一のデータの縁戚関係情報（６３）の直系血族、即ち「父」、「母」或いは「子」を参照する際には、抽出処理回数を１増加させてカウントし、縁戚関係情報（６３）の傍系血族、即ち「兄弟姉妹」を参照する際には、抽出処理回数を２増加させてカウントすればよい。例えば、入力手段（７）によって、親等数が「３」と入力され、「おじ」を検索する場合について考える。「おじ」は３親等に当たるので、おじ以上の親等数に当たる縁戚者を抽出する必要はない。このとき、「おじ」の検索ルートは「父」から「父」の「兄弟姉妹」となる。対象人物の縁戚関係情報（６３）から「父」の識別記号を参照したときに、抽出処理回数を「１」とカウントする。その後、「父」の縁戚関係情報（６３）から「兄弟姉妹」の識別記号を参照したときに、抽出処理回数を更に「２」増加させる。このとき抽出処理回数は合計で「３」となり、入力された親等数の数と一致する。これ以上の抽出処理は、入力された親等数を越えるものとなるので、ここでこの検索ルートでの抽出処理を終了し、他の検索ルートで入力された親等数の縁戚者のデータを抽出すればよい。
【００３９】
上記のような家系録システムによれば、例えば、縁戚者の一人が死亡したときに、入力手段でその死亡した縁戚者の氏名を入力し、また葬儀に招く必要のある親等数を入力する。これにより、上述の如く死亡した縁戚者の一定親等内にある縁戚者の連絡先が一覧可能となり、葬儀の連絡が非常に円滑に行われることになる。尚、これは葬儀に限られるものではなく、結婚式やその他行事における連絡にも役立つものである。
【００４０】
上記した家系録や家系録システムは、寺社や教会に管理されるものであってもよい。寺社や教会が檀家や信者の家系録や家系録システムを利用して、法要等の行事連絡を檀家や信者に対して、円滑に行うことが可能である。
【産業上の利用可能性】
【００４１】
本発明は、広範な縁戚関係を少ない紙面にまとめることができる家系録に好適に適用される。
【図面の簡単な説明】
【００４２】
【図１】本発明に係る家系録の備える縁戚一覧名簿を示す図である。
【図２】本発明に係る家系録の備える縁戚一覧名簿の記載例を示す図である。
【図３】本発明に係る家系録の備える縁戚一覧名簿の他の記載例を示す図である。
【図４】本発明に係る家系録の備える個別名簿を示す図である。
【図５】本発明に係る家系録の備える行事日程表を示す図である。
【図６】本発明に係る家系録の備える住所録を示す図である。
【図７】本発明に係る家系録の備える記入者記録を示す図である。
【図８】本発明に係る家系録の備える親族関係表を示す図である。
【図９】本発明に係る家系録の備える年号表を示す図である。
【図１０】本発明に係る家系録を示す図である。
【図１１】本発明に係る家系録をデータベース化した例である。
【図１２】本発明に係る家系録システムのブロック図である。
【符号の説明】
【００４３】
１・・・・・・縁戚一覧名簿
２・・・・・・個別名簿
３・・・・・・行事日程表
４・・・・・・住所録
５・・・・・・記入者記録
６・・・・・・データベース
６１・・・・・個人情報
６２・・・・・識別情報
６３・・・・・縁戚関係情報
７・・・・・・入力手段
８・・・・・・出力手段
Ｈ・・・・・・家系録
【図１】
2005262800.tif 000003
【図２】
2005262800.tif 000004
【図３】
2005262800.tif 000005
【図４】
2005262800.tif 000006
【図５】
2005262800.tif 000007
【図６】
2005262800.tif 000008
【図７】
2005262800.tif 000009
【図８】
2005262800.tif 000010
【図９】
2005262800.tif 000011
【図１０】
2005262800.tif 000012
【図１１】
2005262800.tif 000013
【図１２】
2005262800.tif 000014